(57)【要約】【課題】カメラを備える携帯端末装置において、１つのカメラモジュールで複数の焦点距離を切り換えて撮影することを可能とし、機能性を向上させる。【解決手段】少なくとも表示部とカメラ部とを備える第一の筐体と、少なくとも操作部を備える第二の筐体とを連結部により連結し、上記第一の筐体の表示部を有する面を上記第二の筐体の操作部を有する面と同じ方向に向けた状態で上記第一の筐体が上記第二の筐体の操作部を有する面に対して回動するように構成して成り、上記第二の筐体の操作部を有する面と対向する上記第一の筐体の面には、上記第一の筐体と上記第二の筐体とのなす角度が０°及び１８０°以外の任意の位置において露出する上記カメラ部の撮像窓を備えるとともに、上記第一の筐体と上記第二の筐体とのなす角度が０°及び／又は１８０°の位置において上記撮像窓と対向する第二の筐体の部位に貫通孔を有し、該貫通孔内にレンズを具備する。【選択図】図２
2005217668.tif 000002
【特許請求の範囲】
【請求項１】
少なくとも表示部とカメラ部とを備える第一の筐体と、少なくとも操作部を備える第二の筐体とを連結部により連結し、上記第一の筐体の表示部を有する面を上記第二の筐体の操作部を有する面と同じ方向に向けた状態で上記第一の筐体が上記第二の筐体の操作部を有する面に対して回動するように構成して成り、
上記第二の筐体の操作部を有する面と対向する上記第一の筐体の面には、上記第一の筐体と上記第二の筐体とのなす角度が０°及び１８０°以外の任意の位置において露出する上記カメラ部の撮像窓を備えるとともに、上記第一の筐体と上記第二の筐体とのなす角度が０°及び／又は１８０°の位置において上記撮像窓と対向する第二の筐体の部位に貫通孔を有し、該貫通孔内にレンズを具備することを特徴とする携帯端末装置。
【請求項２】
上記第一の筐体と上記第二の筐体とのなす角度が０°及び１８０°の位置にそれぞれ有する上記貫通孔のうち、一方の貫通孔内に備えるレンズが望遠用レンズであり、他方の貫通孔に備えるレンズが接写レンズであることを特徴とする請求項１に記載の携帯端末装置。
【発明の詳細な説明】
【技術分野】
【０００１】
本発明は、カメラを備える携帯電話機やＰＤＡ（Ｐｅｒｓｏｎａｌ  Ｄｉｇｉｔａｌ  Ａｓｓｉｓｔａｎｔ）等の携帯端末装置に関する。
【背景技術】
【０００２】
近年、携帯電話機やＰＤＡ等の携帯端末装置は、携帯性を高めるために折畳み機構を持ったものが普及しつつあり、さらに情報端末装置としての本来の機能に加え、付加的な機能を追加したものが種々提案されており、その一つにカメラ機能を備えた携帯電話機がある。
【０００３】
図８は、特許文献１に示されている、カメラを具備した従来の携帯電話機を示した正面図である。
【０００４】
図８を参照すると、カメラを具備した従来の携帯電話機２００では、筐体２０１の上端部に撮像素子モジュール２０２が搭載されており、この撮像素子モジュール２０２は、筐体２０１の正面２０１ａから撮影窓２０３が露出するように配置されていた。
【０００５】
図９は、特許文献２に示されている、カメラを具備した従来の携帯端末装置を示した斜視図である。
【０００６】
図９を参照すると、カメラを具備した従来の携帯端末装置３００では、筐体３０１の上端部に切り欠き部３０２と壁部３０３を設け、カメラユニット３０４を壁部３０３より伸びる軸体３０５に対して回転可能に配置したもので、図中矢印Ｅや矢印Ｆ等の多方向に向けて撮影することができるようになっていた。
【特許文献１】特開２００２−３３０３１９号公報
【特許文献２】特開２００３−５０１７号公報
【発明の開示】
【発明が解決しようとする課題】
【０００７】
ところが、特許文献１や特許文献２に示されるような携帯端末装置は非常に小型で、筐体内には多数の部品が集積されているため、別に光学レンズを搭載することが困難であり、望遠や接写等に対応した撮影を行うことが難しいものであった。
【０００８】
一方、カメラを制御する制御部内で、ソフトウェア処理（デジタルズーム）を行うことで擬似的に望遠撮影を行うことはできるが、この場合、撮影した画像の画質が荒くなってしまうという課題があった。
【０００９】
〔発明の目的〕
上記課題に鑑み、本発明の目的は、複数の焦点距離を切り換えて撮影することが可能な一つのカメラを具備する携帯端末装置を提供することである。
【課題を解決するための手段】
【００１０】
そこで、上記課題に鑑み、本発明の携帯端末装置は、少なくとも表示部とカメラ部とを備える第一の筐体と、少なくとも操作部を備える第二の筐体とを連結部により連結し、上記第一の筐体の表示部を有する面を上記第二の筐体の操作部を有する面と同じ方向に向けた状態で上記第一の筐体が上記第二の筐体の操作部を有する面に対して回動するように構成して成り、上記第二の筐体の操作部を有する面と対向する上記第一の筐体の面には、上記第一の筐体と上記第二の筐体とのなす角度が０°及び１８０°以外の任意の位置において露出する上記カメラ部の撮像窓を備えるとともに、上記第一の筐体と上記第二の筐体とのなす角度が０°及び／又は１８０°の位置において上記撮像窓と対向する第二の筐体の部位に貫通孔を設け、該貫通孔内にレンズを具備することを特徴とする。
【００１１】
さらに、上記第一の筐体と上記第二の筐体とのなす角度が０°及び１８０°の位置にそれぞれ有する上記貫通孔のうち、一方の貫通孔内に備えるレンズが望遠用レンズであり、他方の貫通孔に備えるレンズが接写レンズであってもよい。
【発明の効果】
【００１２】
本発明によれば、携帯端末装置に備える一つのカメラでもって複数の焦点距離を切り換えて撮影することができる。
【発明を実施するための最良の形態】
【００１３】
以下、本発明の実施の形態を図面に基づいて説明する。
【００１４】
図１は本発明の携帯端末装置を折畳んだときの状態を示す図で、同図（ａ）は正面図、同図（ｂ）は背面図である。図２は本発明の携帯端末装置を９０°回転させた状態を示す図で、同図（ａ）は正面図、同図（ｂ）は背面図である。図３は本発明の携帯端末装置を展開したときの状態を示す図で、同図（ａ）は正面図、同図（ｂ）は背面図である。図４は本発明の携帯端末装置を示す断面図で、同図（ａ）は図２（ｂ）のＸ−Ｘ線断面図、同図（ｂ）は図３（ａ）のＹ−Ｙ線断面図である。
【００１５】
この携帯端末装置１００は携帯電話機に関するもので、対向配置された第一の筐体１０１と第二の筐体１０２とから成り、第一の筐体１０１の対向面１０１ａと反対の外面１０１ｂ側には、液晶表示装置等の表示部１０６と、この表示部１０６を挟んで上下に配置された二つのスピーカー部１０７、１０８を備えると共に、第二の筐体１０２の対向面１０２ａ側には操作部１０５とマイク部１０４を備えている。
【００１６】
また、第一の筐体１０１と第二の筐体１０２は、第一の筐体１０１の表示部１０６を有する外面１０１ｂを第二の筐体１０２の操作部１０５を有する対向面１０２ａと同じ方向に向けた状態で第一の筐体１０１を第二の筐体１０２の操作部１０５を有する対向面１０２ａに対して略平行に回動させるように構成してあり、第一の筐体１０１と第二の筐体１０２とのなす角度βが０°のときを折畳んだ状態とし、また、第一の筐体１０１と第二の筐体１０２とのなす角度βが１８０°のときを展開した状態としてある。
【００１７】
この回転機構としては、第一の筐体１０１と第二の筐体１０２とを対向配置したとき、その一端側において、互いの対向面１０１ａ、１０２ａに対して略垂直に配置された連結部１０３を中心に回動させることができるようになっている。
【００１８】
また、第一の筐体１０１内にはカメラ部１１１を内蔵すると共に、第二の筐体１０２と対向する第一の筐体１０１の対向面１０１ａに上記カメラ部１１１へ被写体像を取り込むための撮影窓１１２を形成してあり、第一の筐体１０１と第二の筐体１０２とのなす角度βが０°及び１８０°のとき以外の任意の位置（本実施の形態では図２（ａ）（ｂ）に示すように、第一の筐体１０１と第二の筐体１０２とのなす角度βが９０°の位置）においてカメラ部１１１の撮影窓１１２が外部に露出するように構成してある。
【００１９】
即ち、カメラ部１１１の撮影窓１１２は、第一の筐体１０１の対向面１０１ａであって、折畳んだ状態及び展開した状態以外の任意の位置において外部に露出する部位に形成してある。
【００２０】
一方、第二の筐体１０２には第一のレンズ１１３及び第二のレンズ１１４をそれぞれ有し、第一の筐体１０１と第二の筐体１０２とのなす角度βが０°（折畳んだ状態）の状態においてカメラ部１１１の撮影窓１１２と第一のレンズ１１３とが対向し、また、角度βが１８０°（展開した状態）の状態においてカメラ部１１１の撮影窓１１２と第二のレンズ１１４とが対向するように構成してある。
【００２１】
即ち、第二の筐体１０２の連結部１０３側の上端角部であって折畳んだ状態において撮影窓１１２と対向する第二の筐体１０２の部位に、対向面１０２aから外面１０２bに連通する貫通孔１２２を有するとともに、この貫通孔１２２内に第一のレンズ１１３を配置しており、図５（ａ）に示すように、カメラ部１１１の光軸と第一のレンズ１１３の光軸とが重なるようになっている。
【００２２】
第二のレンズ１１４については、第二の筐体１０２の連結部１０３側の上端角部であって展開した状態において撮影窓１１２と対向する第二の筐体１０２の部位に、対向面１０２aから外面１０２bに連通する貫通孔１２３を有するとともに、この貫通孔１２３内に第二のレンズ１１４を配置しており、図５（ｂ）に示すように、カメラ部１１１の光軸と第二のレンズ１１４の光軸とが重なるようになっている。
【００２３】
また、第二の筐体１０２内には制御部、無線部、記憶部を有する回路基板１１５と電池１１６を備え、上記回路基板１１５は、マイク部１０４、操作部１０５、表示部１０６、スピーカー部１０７及び１０８、カメラ部１１１、電池１１６と各々電気的に接続されている。なお、１１７は回路基板１１５の無線部と電気的に接続され、第二の筐体１０２の連結部１０３近傍の端部に配置されたアンテナ、１２０は第二の筐体１０２の側面に設けられ、通話モードと撮影モードとを切り換えるモード切換えボタン、１２１は第二の筐体１０２の側面に設けられ、通話モード時にはオフフックボタンとして機能し、かつ撮影モード時にはシャッターボタンとして機能するシャッター兼オフフックボタンである。
【００２４】
また、連結部１０３には第一の検出部１１８と第二の検出部１１９を備え、第一の筐体１０１と第二の筐体１０２の開閉途中における状態を検知するようになっている。即ち、図６に検出部１１８及び１１９の構造を示すように、円筒状をした連結部１０３の外周には二本の導体パターン１１８ａ及び１１９ａを形成してあり、連結部１０３の回転により二つの導通端子１１８ｂ及び１１９ｂが二本の導体パターン１１８ａ及び１１９ａとそれぞれ接触／非接触となることでオン状態／オフ状態を検出するようになっている。
【００２５】
具体的には、表１に示すように、第一の検出部１１８がオン状態、第二の検出部１１９がオフ状態のときは第一の筐体１０１と第二の筐体１０２とが完全に重なった折畳み状態（図１）にあり、第一の検出部１１８と第二の検出部１１９ともにオン状態のときは第一の筐体１０１が第二の筐体１０２に対して９０°回転した状態（図２）にあり、第一の検出部１１８がオフ状態、第二の検出部１１９がオン状態のときは第一の筐体１０１が第二の筐体１０２に対して１８０°回転した展開状態（図３）にあり、第一の検出部１１８がオフ状態、第二の検出部１１９がオフ状態のときは第一の筐体１０１が上記以外の状態にある。
【表１】
2005217668.tif 000003
【００２６】
そして、本発明の携帯端末装置１００は、第一の筐体１０１が第二の筐体１０２に対して９０°回転した状態においては、外部に露出した撮影窓１１２を通して撮影することができるとともに、折畳み状態においては、カメラ部１１１と第一のレンズ１１３とが接続されることにより第一のレンズ１１３を通して撮影することができ、また、展開状態においては、カメラ部１１１と第二のレンズ１１４とが接続されることにより第二のレンズ１１４を通して撮影することができる。これにより、第一の筐体１０１を回動させるという動作により、レンズなしの撮影、第一のレンズ１１３を通しての撮影、及び第二のレンズ１１４を通しての撮影のように、それぞれ焦点距離を異ならせた撮影を行うことができる。
【００２７】
即ち、カメラ部１１１で撮影を行うには、待ち受けの状態からモード切換えボタン１２０を押下して撮影モードに切り換えた後、シャッター兼オフフックボタン１２１を押下するようになっているが、折畳んだ状態、第一の筐体１０１を第二の筐体１０２に対して９０°回動させた状態、及び展開した状態に応じて異なる撮影モードに切り換わる。
【００２８】
図７は、それぞれの撮影モードにおける表示部１０６の画面表示の例を示しており、第一のレンズ１１３には接写レンズを備え、レンズ１１４には望遠レンズを備えた場合の例である。
【００２９】
図７を参照すると、折畳み状態にあるときにモード切換えボタン１２０を押下すると「接写撮影モード」に切り換わり、図７（ａ）に示すように、表示部１０６には「接写撮影モード」である旨が表示されると共に第一のレンズ１１３を通してカメラ部１１１に取り込まれた画像を表示する。なお、このとき、表示部１０６の表示情報等はスピーカー１０７側が「上」となるように表示させるようになっている。
【００３０】
第一の筐体１０１を第二の筐体１０２に対して９０°回動させた状態（図２）にあるときにモード切換えボタン１２０を押下すると「標準撮影モード」に切り換わり、図７（ｂ）に示すように、表示部１０６には「標準撮影モード」である旨が表示されると共に撮影窓１１２を通してカメラ部１１１に取り込まれた画像を表示する。なお、このとき、表示部１０６の表示情報等は、上記折畳み状態での向きから反時計回りに９０°回転させて表示させるようになっている。
【００３１】
展開状態にあるときにモード切換えボタン１２０を押下すると「望遠撮影モード」に切り換わり、図７（ｃ）に示すように、表示部１０６には「望遠撮影モード」である旨が表示されると共に第二のレンズ１１４を通してカメラ部１１１に取り込まれた画像を表示する。なお、このとき、表示部１０６の表示情報等はスピーカー１０８側が「上」となるように表示されるようになっている。
【００３２】
このように、本発明によれば、例えば、第一のレンズ１１３には焦点距離の非常に短い接写用のレンズを備え、第二のレンズ１１４には焦点距離の非常に長い望遠用のレンズを備えることにより、折畳み状態（図１）では接写を行うことができ、第一の筐体１０１を第二の筐体１０２に対して９０°回転させた状態（図２）ではカメラ部１１１のみでの通常撮影を行うことができ、さらに、展開状態（図３）では望遠撮影を行うことができる。この構成により、地図上や雑誌紙面の細かな文字や絵図を接写したり、逆に、遠くの景色を撮影したりといったことを、一つのカメラ部１１１で実現することができる。
【００３３】
以上のように、本発明の実施の形態の携帯端末装置１００によれば、第一の筐体１０１が第二の筐体１０２に対して９０°回転した状態においては、外部に露出した撮影窓１１２を通して撮影することができるとともに、折畳み状態においては、カメラ部１１１と第一のレンズ１１３とが接続されることにより第一のレンズ１１３を通して撮影することができ、また、展開状態においては、カメラ部１１１と第二のレンズ１１４とが接続されることにより第二のレンズ１１４を通して撮影することができる。これにより、第一の筐体１０１を回動させるという動作により、レンズなしの撮影、第一のレンズ１１３を通しての撮影、及び第二のレンズ１１４を通しての撮影のように、それぞれ焦点距離を異ならせた撮影を行うことができる。
【００３４】
以上、本発明の実施の形態について示したが、本発明は上述した実施の形態のみに限定されるものではなく、本発明の要旨を逸脱しない範囲で種々の変更が可能であることは言うまでもない。
【００３５】
例えば、第一の検出部１１８及び第二の検出部１１９の状態と展開状態との関係は表１に示すパターンに限らず、適宜設定することができる。
【００３６】
また、本実施の形態では、折畳んだ状態及び展開した状態において、それぞれ第一のレンズ１１３及び第二のレンズ１１４がカメラ部１１１と接続するような構成としたが、折畳んだ状態と展開した状態のいずれか一方の状態でのみカメラ部１１１と接続するように、第一のレンズ１１３と第二のレンズ１１４のいずれか一方のみを設けるようにしたものであっても構わない。この場合は、２点の焦点切換えが実現される。
【００３７】
また、本実施の形態では携帯電話機を基に説明したが、カメラを備えたＰＤＡ（Ｐｅｒｓｏｎａｌ  Ｄｉｇｉｔａｌ  Ａｓｓｉｓｔａｎｔ）等の携帯端末装置にも適用することができる。
【図面の簡単な説明】
【００３８】
【図１】本発明の携帯端末装置を折畳んだときの状態を示す図で、同図（ａ）は正面図、同図（ｂ）は背面図である。
【図２】本発明の携帯端末装置において、第一の筐体を第二の筐体に対して９０°回転させた状態を示す図で、同図（ａ）は正面図、同図（ｂ）は背面図である。
【図３】本発明の携帯端末装置を展開したときの状態を示す図で、同図（ａ）は正面図、同図（ｂ）は背面図である。
【図４】（ａ）は図２（ｂ）のＸ−Ｘ線断面図、（ｂ）は図３（ａ）のＹ−Ｙ線断面図である。
【図５】本発明の携帯端末装置のカメラ部とレンズとを示す部分拡大断面図であり、同図（a）は折畳んだ状態における図であり、同図（b）は展開した状態における図である。
【図６】本発明の携帯端末装置の検出部の構造を示す部分拡大斜視図である。
【図７】本発明の携帯端末装置の撮影モード時における表示部の画面表示を示す概要図であり、同図（a）は折畳んだ状態における図、同図（b）は第一の筐体を第二の筐体に対して９０°回転させた状態における図、同図（c）は展開した状態における図である。
【図８】従来の携帯端末装置の一例を示す正面図である。
【図９】従来の携帯端末装置の他の例を示す斜視図である。
【符号の説明】
【００３９】
１００                  携帯端末装置
１０１                  第一の筐体
１０２                  第二の筐体
１０３                  連結部
１０４                  マイク部
１０５                  操作部
１０６                  表示部
１０７，１０８          スピーカー
１１１                  カメラ部
１１２                  撮影窓
１１３                  第一のレンズ
１１４                  第二のレンズ
１１５                  回路基板
１１６                  電池
１１７                  アンテナ
１１８                  第一の検出部
１１９                  第二の検出部
１２０                  モード切換えボタン
１２１                  シャッター兼オフフックボタン
１２２，１２３          貫通孔
【図１】
2005217668.tif 000004
【図２】
2005217668.tif 000005
【図３】
2005217668.tif 000006
【図４】
2005217668.tif 000007
【図５】
2005217668.tif 000008
【図６】
2005217668.tif 000009
【図７】
2005217668.tif 000010
【図８】
2005217668.tif 000011
【図９】
2005217668.tif 000012